(57)【特許請求の範囲】
【請求項１】
ユーザ装置（ＵＥ）により、ダウンリンクデータ又はダウンリンクメッセージを受信するステップであり、該ダウンリンクデータ又は該ダウンリンクメッセージはスモールパケットデータである、ステップと、
前記ＵＥにより、応答データ又は応答メッセージを生成して該応答データ又は該応答メッセージの応答回数を取得するステップと、
前記ＵＥにより、前記ＵＥにより生成された前記応答データ又は前記応答メッセージの前記応答回数に従って、前記ダウンリンクデータ又は前記ダウンリンクメッセージに応答するモードとしてシグナリングモードを選択するステップと、
前記ＵＥにより、前記ＵＥにより生成された前記応答データ又は前記応答メッセージをアップリンクＮＡＳメッセージ又はショートメッセージに付加し、且つ該アップリンクＮＡＳメッセージ又はショートメッセージをネットワークノード装置に送信するステップと、
を有するサービス応答方法。
【請求項２】
前記ＵＥが前記ダウンリンクデータ又は前記ダウンリンクメッセージを受信する前に、当該方法は更に：
前記ＵＥがアイドル状態にある場合に、前記ＵＥにより、ネットワークノード装置によって送信されるページングメッセージを受信した後、前記ＵＥにより、前記ＵＥのためのＮＡＳ接続を確立するために第２のサービス要求メッセージを前記ネットワークノード装置に送信するステップ
を有し、
前記ＵＥのための前記ＮＡＳ接続を確立する手順中、前記ネットワークノード装置は、前記ＵＥに関する無線アクセスコンテキスト及び／又はセキュリティコンテキストを作成しないことを決定する、
請求項１に記載の方法。
【請求項３】
前記ネットワークノード装置によって送信される前記ページングメッセージが、前記ダウンリンクデータ又は前記ダウンリンクメッセージがスモールパケットデータであることを指し示すために使用されるインジケーション要素を担持している場合に、前記ＵＥは、前記ＵＥのための前記ＮＡＳ接続を確立するために前記第２のサービス要求メッセージを前記ネットワークノード装置に送信し、前記ＵＥのための前記ＮＡＳ接続を確立する前記手順中に前記ネットワークノード装置が前記ＵＥに関する無線アクセスコンテキスト及び／又はセキュリティコンテキストを作成しないことを決定することは：
前記ＵＥにより、前記スモールパケットデータのページングに応答するための無線リソース制御プロトコル（ＲＲＣ）接続確立手順を開始するように前記ＵＥに命令するために使用されるコーズバリューを、前記インジケーション要素を担持する前記ページングメッセージに従って設定し、且つ前記コーズバリューを担持するＲＲＣ接続要求メッセージを無線アクセスネットワーク側（ＲＡＮ側）装置に送信して、該ＲＡＮ側装置がＲＲＣ接続確立手順において前記第２のサービス要求メッセージを前記ネットワークノード装置に送信するようにすることと、
前記ＲＡＮ側装置が前記ＲＲＣ接続要求メッセージを受信した後に、前記ＲＡＮ側装置により、前記コーズバリューを前記ネットワークノード装置に送信し、前記ＵＥのための前記ＮＡＳ接続を確立する前記手順中に前記ネットワークノード装置が、前記コーズバリューに従って、前記ＵＥに関する無線アクセスコンテキスト及び／又はセキュリティコンテキストを作成しないことを決定することと
を有する、請求項２に記載の方法。
【請求項４】
前記ネットワークノード装置によって送信される前記ページングメッセージがインジケーション要素を担持していない場合に、前記ＵＥは、前記ＵＥのための前記ＮＡＳ接続を確立するために前記第２のサービス要求メッセージを前記ネットワークノード装置に送信し、前記ＵＥのための前記ＮＡＳ接続を確立する前記手順中に前記ネットワークノード装置が前記ＵＥに関する無線アクセスコンテキスト及び／又はセキュリティコンテキストを作成しないことを決定することは：
前記ＵＥにより、前記第２のサービス要求メッセージがページング応答であることを指し示すために使用されるサービスタイプインジケーションを担持する前記第２のサービス要求メッセージを前記ネットワークノード装置に送信し、前記ＵＥのための前記ＮＡＳ接続を確立する前記手順中に前記ネットワークノード装置が、前記第２のサービス要求メッセージ内の前記サービスタイプインジケーションに従って、前記ＵＥに関する無線アクセスコンテキスト及び／又はセキュリティコンテキストを作成しないことを決定すること
を有する、請求項２に記載の方法。
【請求項５】
ユーザ装置（ＵＥ）であり、
ダウンリンクデータ又はダウンリンクメッセージを受信するように構成された受信ユニットであり、該ダウンリンクデータ又は該ダウンリンクメッセージはスモールパケットデータである、受信ユニットと、
応答データ又は応答メッセージを生成して該応答データ又は該応答メッセージの応答回数を取得し、且つ前記ＵＥにより生成される該応答データ又は該応答メッセージの該応答回数に従って、前記ダウンリンクデータ又は前記ダウンリンクメッセージに応答するモードとしてシグナリングモードを選択するように構成された選択ユニットと、
前記ＵＥにより生成される前記応答データ又は前記応答メッセージをアップリンクＮＡＳメッセージ又はショートメッセージに付加し、且つ該アップリンクＮＡＳメッセージ又はショートメッセージをネットワークノード装置に送信するように構成された応答ユニットと、
を有するＵＥ。
【請求項６】
当該ＵＥがアイドル状態にある場合に、ネットワークノード装置によって送信されるページングメッセージを受信し、且つ当該ＵＥのためのＮＡＳ接続を確立するために第２のサービス要求メッセージを前記ネットワークノード装置に送信するように構成された第１の接続ユニット、を更に有する請求項５に記載のＵＥ。
【請求項７】
前記第１の接続ユニットは：
当該ＵＥがアイドル状態にある場合に、前記ネットワークノード装置によって送信される前記ページングメッセージを受信するように構成された第１の受信モジュールであり、前記ページングメッセージは、前記ダウンリンクデータ又は前記ダウンリンクメッセージがスモールパケットデータであることを指し示すために使用されるインジケーション要素を担持する、第１の受信モジュールと、
前記インジケーション要素を担持する前記ページングメッセージに従ってコーズバリューを設定するように構成された第１の設定モジュールであり、前記コーズバリューは、前記スモールパケットデータのページングに応答するための無線リソース制御プロトコル（ＲＲＣ）接続確立手順を開始するように当該ＵＥに命令するために使用される、第１の設定モジュールと、
当該ＵＥのための前記ＮＡＳ接続を確立するために前記ＲＲＣ接続確立手順において、無線アクセスネットワーク側（ＲＡＮ側）装置を介して前記ネットワークノード装置に前記コーズバリューと前記第２のサービス要求メッセージとを送信するように構成された第１の送信モジュールと
を有する、請求項６に記載のＵＥ。
【請求項８】
前記第１の接続ユニットは：
当該ＵＥがアイドル状態にある場合に、前記ネットワークノード装置によって送信される前記ページングメッセージを受信するように構成された第２の受信モジュールであり、前記ページングメッセージはインジケーション要素を担持しない、第２の受信モジュールと、
当該ＵＥのための前記ＮＡＳ接続を確立するために前記ネットワークノード装置に前記第２のサービス要求メッセージを送信するように構成された第２の送信モジュールであり、前記第２のサービス要求メッセージは、前記第２のサービス要求メッセージがページング応答であることを指し示すために使用されるサービスタイプインジケーションを担持する、第２の送信モジュールと
を有する、請求項６に記載のＵＥ。
【請求項９】
ユーザ装置（ＵＥ）とネットワークノード装置とを有するサービス応答システムであって：
前記ネットワークノード装置は、ダウンリンクデータ又はダウンリンクメッセージを前記ＵＥに送信するように構成され、該ダウンリンクデータ又は該ダウンリンクメッセージはスモールパケットデータであり、
前記ＵＥは、前記ネットワークノード装置によって送信された前記ダウンリンクデータ又は前記ダウンリンクメッセージを受信し、応答データ又は応答メッセージを生成して該応答データ又は該応答メッセージの応答回数を取得し、且つ前記ＵＥにより生成された該応答データ又は該応答メッセージの該応答回数に従って、前記ダウンリンクデータ又は前記ダウンリンクメッセージに応答するモードとしてシグナリングモードを選択するように構成され、
前記ＵＥは更に、前記ＵＥにより生成された前記応答データ又は前記応答メッセージをアップリンクＮＡＳメッセージ又はショートメッセージに付加し、且つ該アップリンクＮＡＳメッセージ又はショートメッセージを前記ネットワークノード装置に送信するように構成され、且つ
前記ネットワークノード装置は更に、前記ＵＥによって送信された前記アップリンクＮＡＳメッセージ又はショートメッセージを受信するように構成されている、
システム。
【発明の詳細な説明】
【技術分野】
【０００１】
本発明は、移動通信の分野に関し、特に、サービス応答方法、装置及びシステムに関する。
【背景技術】
【０００２】
無線エボリューションネットワークの基幹ネットワークは主として、ＭＭＥ（モビリティマネジメントエンティティ）、Ｓ−ＧＷ（サービングゲートウェイ）及びＰ−ＧＷ（パケットデータネットワークゲートウェイ）という３つの論理機能エンティティを含んでいる。ＭＭＥは、ＮＡＳ（ネットワーク接続ストレージ）シグナリング、ＮＡＳシグナリングの暗号化、ローミング及びトラッキング機能、ユーザの一時的な識別子の割当て、及びセキュリティ機能を担う。ＭＭＥは、ＵＴＭＳ（ユニバーサル・モバイル・テレコミュニケーション・システム）内のＳＧＳＮ（サービングＧＰＲＳサポートノード）の制御プレーン部分に対応する。Ｓ−ＧＷは、ローカルモビリティアンカーポイント、３Ｇｐｐ（第３世代パートナーシッププロジェクト）システムのモビリティアンカーポイント、及び関連情報の合法的な傍受を担う。Ｐ−ＧＷは、例えばポリシーの実行、課金、及び合法的な傍受などの関連機能を担う。
【０００３】
Ｍ２Ｍ（マシンツーマシン）アプリケーションは、例えば交通管制アプリケーション及び工場監視アプリケーションなど、１つのネットワーク要素内でのネットワーク通信又は人間の関与なしでの複数のネットワーク要素間でのネットワーク通信を意味する。Ｍ２Ｍ端末が、無線エボリューションネットワーク上でのデータ通信のためのアプリケーションサーバに接続され得る。Ｍ２Ｍアプリケーションにおいては、端末がサービスを開始することをネットワークがトリガーし得る。すなわち、ネットワーク（例えば、アプリケーションサーバ、プラットフォーム装置、又は他の管理装置）がトリガーメッセージを端末に送信し、ネットワークによって送信されたトリガーメッセージを受信した後に、端末が、接続確立手順を開始し、そして確立された接続を用いてネットワークとインタラクトする。
【０００４】
従来技術において、ネットワークは、トリガーメッセージを端末に送信するためのベアラとしてショートメッセージを用いることによって、端末がサービスを開始することをトリガーする。ショートメッセージを受信し、それを解析してトリガーメッセージを取得した後、端末はＰＤＰ（パケットデータプロトコル）又はＰＤＮ（パケットデータネットワーク）接続確立手順を開始する。
【０００５】
端末がサービスを開始することをネットワークがトリガーする手順を実装するとき、従来技術は少なくとも以下の問題を有することが本願の発明者によって見出された。
【０００６】
Ｍ２Ｍアプリケーションにおいて、ネットワークがトリガーメッセージを端末に送信した後、端末は、多くの場合、アクナリッジメントメッセージを返すことを必要とするのみである。トリガーメッセージ及びアクナリッジメントメッセージはどちらも小さいデータトラフィック（略してスモールパケットデータ）の情報である。しかしながら、従来技術においては、ネットワークからのトリガーメッセージを受信した後、端末は常に、ＰＤＰ又はＰＤＮ接続確立を開始し、確立されたＰＤＰ又はＰＤＮ上でネットワークにアクナリッジメント命令を送信している。端末によってフィードバックされるものがスモールパケットデータのみである場合、端末とネットワークとの間に常にＰＤＰ又はＰＤＮ接続を確立する（完全なるＰＤＰ又はＰＤＮ接続確立手順が実行される）方法では、端末にスモールパケットデータを送信することのために多大な負担をネットワークにかけ、ネットワークシグナリング資源の多大なる浪費をもたらす。
【発明の概要】
【発明が解決しようとする課題】
【０００７】
本発明の実施形態は、スモールパケットデータの最適化された伝送の実現を支援してネットワークシグナリング資源の浪費を抑制するサービス応答方法、装置及びシステムを提供する。
【課題を解決するための手段】
【０００８】
上記目的を達成するため、本発明の実施形態は以下の技術的ソリューションを採用する。
【０００９】
一態様において、本発明は、
ユーザ装置（ＵＥ）により、ダウンリンクデータ又はダウンリンクメッセージを受信するステップであり、該ダウンリンクデータ又はメッセージはスモールパケットデータである、ステップと、
前記ダウンリンクデータ又はメッセージに応答するモードとしてシグナリングモード又はデータモードを選択するステップと、
選択されたモードを用いて前記ダウンリンクデータ又はメッセージに応答するステップと、を含むサービス応答方法を提供する。
【００１０】
他の一態様において、本発明は更に、ネットワークノード装置により、ダウンリンクデータ又はダウンリンクメッセージをＵＥに送信するステップであり、該ダウンリンクデータ又はメッセージはスモールパケットデータである、ステップと、
前記ＵＥがアイドル状態にある場合に前記ＵＥを呼び出すステップと、
前記ＵＥによって送信される第２のサービス要求メッセージを受信するステップと、
前記ＵＥのためのＮＡＳ接続を確立するステップであり、前記ＵＥのための該ＮＡＳ接続を確立する手順中、前記ネットワークノード装置は、前記ＵＥに関する無線アクセスコンテキスト及び／又はセキュリティコンテキストを作成しないことを決定する、ステップと、
前記ＵＥによってシグナリングモード又はデータモードで送信される応答データ又は応答メッセージを受信するステップと、を含むサービス応答方法を提供する。
【００１１】
一態様において、本発明は、ダウンリンクデータ又はダウンリンクメッセージを受信するように構成された受信ユニットであり、該ダウンリンクデータ又はメッセージはスモールパケットデータである、受信ユニットと、
前記ダウンリンクデータ又はメッセージに応答するモードとしてシグナリングモード又はデータモードを選択するように構成された選択ユニットと、
選択されたモードを用いて前記ダウンリンクデータ又はメッセージに応答するように構成された応答ユニットと、を含むユーザ装置を提供する。
【００１２】
他の一態様において、本発明は更に、ダウンリンクデータ又はダウンリンクメッセージをＵＥに送信するように構成された送信ユニットであり、該ダウンリンクデータ又はメッセージはスモールパケットデータである、送信ユニットと、
前記ＵＥがアイドル状態にあるときに前記ＵＥを呼び出し、前記ＵＥによって送信される第２のサービス要求メッセージを受信し、且つ前記ＵＥのためのＮＡＳ接続を確立するように構成された第２の接続ユニットであり、前記ＵＥのための前記ＮＡＳ接続を確立する手順中、当該ネットワークノード装置は、前記ＵＥに関する無線アクセスコンテキスト及び／又はセキュリティコンテキストを作成しないことを決定する、第２の接続ユニットと、
前記ＵＥによってシグナリングモード又はデータモードで送信される応答データ又は応答メッセージを受信するように構成された応答受信ユニットと、を含むネットワークノード装置を提供する。
【００１３】
なお、上記ネットワークノード装置は、ＳＧＳＮ（サービングＧＰＲＳサポートノード）又はＭＭＥとし得る。
【００１４】
更なる他の一態様において、本発明は更に、ユーザ装置（ＵＥ）とネットワークノード装置とを含むサービス応答システムを提供する。
【００１５】
ネットワークノード装置は、ダウンリンクデータ又はダウンリンクメッセージをＵＥに送信するように構成され、該ダウンリンクデータ又はメッセージはスモールパケットデータである。
【００１６】
ユーザ装置は、ネットワークノード装置によって送信されたダウンリンクデータ又はメッセージを受信し、ダウンリンクデータ又はメッセージに応答するモードとしてシグナリングモード又はデータモードを選択し、且つ選択されたモードを用いてダウンリンクデータ又はメッセージに応答するように構成される。
【００１７】
ネットワークノード装置は更に、選択されたモードでＵＥによって送信された応答データ又は応答メッセージを受信するように構成される。
【発明の効果】
【００１８】
本発明にて提供されるサービス応答方法、装置及びシステムによれば、ネットワークノード装置がダウンリンクデータ又はダウンリンクメッセージをＵＥに送信し、ＵＥがダウンリンクデータ又はメッセージを受信した後に、ダウンリンクデータ又はメッセージに応答するモードを選択し、選択されたモードを用いてダウンリンクデータ又はメッセージに応答する。従来技術と比較して、本発明ではサービス応答手順中に、ダウンリンクデータ又はメッセージに応答するモードを選択することができ、それにより、スモールパケットデータの最適化された伝送の実現が支援され、ネットワークシグナリング資源の浪費が抑制される。
【図面の簡単な説明】
【００１９】
本発明の実施形態における技術的ソリューション又は従来技術をより明瞭に記述するため、以下にて、実施形態又は従来技術を記述するために必要な添付図面を簡単に紹介する。明らかなように、以下の記載において添付図面は単に幾つかの本発明の実施形態を示すのみであり、当業者は創作努力なしで添付図面からその他の図を導き出し得る。
【図１】本発明の一実施形態に係るサービス応答方法を示すフローチャートである。
【図２】本発明の一実施形態に係る他のサービス応答方法を示すフローチャートである。
【図３】本発明の一実施形態に係るユーザ装置の構成を示す模式図である。
【図４】本発明の一実施形態に係る他のユーザ装置の構成を示す模式図である。
【図５】本発明の一実施形態に係るネットワークノード装置の構成を示す模式図である。
【図６】本発明の一実施形態に係る他のネットワークノード装置の構成を示す模式図である。
【発明を実施するための形態】
【００２０】
以下、本発明の実施形態の範囲内の添付図面を参照して、本発明の実施形態における技術的ソリューションを明確且つ十分に説明する。明らかなように、記載される実施形態は、本発明の実施形態の全てではなく一部に過ぎない。本発明のこれらの実施形態に基づいて当業者が創作努力なく得ることができるその他の実施形態も全て、本発明の保護範囲に入るべきものである。
【００２１】
本発明の一実施形態は、ユーザ装置（ＵＥ）が接続状態にあるときのサービス応答方法を提供する。
【００２２】
ステップ１０１：ネットワークノード装置が、ネットワーク側装置によって送達されるダウンリンクデータ又はダウンリンクメッセージを受信する。このダウンリンクデータ又はダウンリンクメッセージはスモールパケットデータである。
【００２３】
本発明の全ての実施形態におけるネットワークノード装置は、具体的にＳＧＳＮ又はＭＭＥとしてもよく、データはＩＰデータパケット又はアプリケーション層データを含むことができ、メッセージは、例えば端末設定管理メッセージ若しくは端末トリガーメッセージ又はその他の命令メッセージなど、ネットワーク側から送達される命令メッセージを含むことができる。ネットワーク側装置は具体的には、例えば外部サーバなど、ダウンリンクデータ又はダウンリンクメッセージの送信元である。
【００２４】
ステップ１０２：ネットワークノード装置がＵＥの状態をクエリする。
【００２５】
ＵＥは、接続状態（準備完了状態とも称する）とアイドル状態（待ち状態とも称する）という２つの状態を取り得る。
【００２６】
ＵＥが接続状態にあるとき、以下のステップ群は直接的に実行され、ＵＥがアイドル状態にあるとき、以下のステップはＵＥがアイドル状態から接続状態に変化するよう命令された後に実行される。なお、ＵＥがアイドル状態から接続状態に変化しているとき、ネットワークノード装置は、そのＵＥに関する無線アクセスコンテキスト及び／又はセキュリティコンテキストを作成しないことを決定する。無線アクセスコンテキストは具体的には、ＲＡＢ（無線アクセスベアラ）コンテキスト若しくはＥＲＡＢ（Ｅ−ＵＴＲＡＮ無線アクセスベアラ）コンテキストである。
【００２７】
ステップ１０３：ネットワークノード装置がＵＥにダウンリンクデータ又はメッセージを送信し、ＵＥがダウンリンクデータ又はメッセージを受信する。
【００２８】
このステップは具体的には、ＵＥが接続状態にあるとき、ネットワークノード装置が直接的に、ＵＥにＮＡＳ（ノンアクセスストラタム）シグナリングメッセージ又はショートメッセージをＮＡＳ接続（すなわち、Ｉｕ／Ｓ１接続）上で送信するものとすることができ、このＮＡＳシグナリングメッセージ又はショートメッセージは、ネットワーク側によって送達されるデータ又はメッセージ（すなわち、ダウンリンクデータ又はダウンリンクメッセージ）を含む。
【００２９】
例えば、このデータはＩＰデータパケット又はアプリケーション層データを含み得る。このステップは具体的には以下である：ＩＰデータパケット又はアプリケーション層データが、ＮＡＳシグナリングメッセージ又はショートメッセージ（ＳＭＳ）にカプセル化されて、ネットワークノード装置によってＵＥに送信される。
【００３０】
例えば、このメッセージは、例えば端末設定管理メッセージ若しくは端末トリガーメッセージ又はその他の命令メッセージなど、ネットワーク側から送達される命令メッセージを含み得る。このステップは具体的には以下である：メッセージが、ＮＡＳシグナリングメッセージ又はショートメッセージ（ＳＭＳ）にカプセル化されて、ネットワークノード装置によってＵＥに送信される。
【００３１】
必要に応じて、ＮＡＳメッセージ又はショートメッセージは更に、シグナリングモード又はデータモードを用いてダウンリンクデータ又はメッセージに応答するようにＵＥに命令する応答モードインジケーション要素を搬送する。このインジケーション要素は、以下の２つの手法でＮＡＳシグナリングメッセージ又はショートメッセージにて搬送され得る。
【００３２】
Ａ１）  ネットワークノード装置がＵＥのアクセス手順中にＵＥの加入データを取得し、ここで、加入データに含まれるＵＥのサービス特性はスモールパケットデータであり、そして、ネットワークノード装置が、このサービス特性に従って上記応答モードインジケーション要素を設定する。ダウンリンクＮＡＳシグナリングメッセージ又はショートメッセージを受信した後、ネットワークノード装置は、応答モードインジケーション要素をＵＥまで搬送するよう、ダウンリンクＮＡＳシグナリングメッセージ又はショートメッセージに応答モードインジケーション要素を付加する。
【００３３】
Ａ２）  ダウンリンクデータ又はメッセージの送信元が、上記応答モードインジケーション要素をダウンリンクデータ又はメッセージに付加する。ネットワークノード装置に対して、この応答モードインジケーション要素はトランスペアレントであり、すなわち、ネットワークノード装置はこの場合には上記応答モードインジケーション要素を検知しない。
【００３４】
ステップ１０４：ＵＥが、ダウンリンクデータ又はメッセージに応答するモードとして、シグナリングモード又はデータモードを選択する。
【００３５】
このステップに関し、以下の３つの手法を参照し得る。ＵＥによって受信されたＮＡＳシグナリングメッセージ又はショートメッセージが、ダウンリンクデータ又はメッセージに加えて応答モードインジケーション要素を担持している場合、モードＢ１）を参照することができ、ＵＥによって受信されたＮＡＳシグナリングメッセージ又はショートメッセージが応答モードインジケーション要素を担持していない場合、モードＢ２）又はＢ３）を参照することができる。
【００３６】
Ｂ１）  ダウンリンクデータ又はメッセージを含んだＮＡＳシグナリングメッセージ又はショートメッセージに担持された応答モードインジケーション要素に従って、ダウンリンクデータ又はメッセージに応答するモードとしてシグナリングモード又はデータモードが選択され、応答モードインジケーション要素は、そのシグナリングモード又はデータモードを用いてダウンリンクデータ又はメッセージに応答するようＵＥに命令するために使用される。
【００３７】
Ｂ２）ＵＥが、応答データ又は応答メッセージを生成し、この応答データ又はメッセージのデータ量に従って、ダウンリンクデータ又はメッセージに応答するモードとしてシグナリングモード又はデータモードを選択する。
【００３８】
例えば、この手法は具体的には以下のようにし得る：上記応答データ又はメッセージのデータ量が所定の閾値以下である場合、ＵＥはシグナリングモードを用いてダウンリンクデータ又はメッセージに応答することを選択し、上記応答データ又はメッセージのデータ量が上記所定の閾値より大きい場合、ＵＥはデータモードを用いてダウンリンクデータ又はメッセージに応答することを選択する。この閾値はＵＥ内に保管され得る。例えば、ＯＭＡ  ＤＭ（オープンモバイルアライアンスデバイスマネジメント）サーバが、上記閾値をＵＥに送信し、ＵＥがそれを保存する。あるいは、ネットワークノード装置（ＳＧＳＮ又はＭＭＥ）がＮＡＳメッセージ又はショートメッセージを用いて上記閾値をＵＥに送信する。例えば、上記閾値がネットワークノード装置上で設定され、ネットワークノード装置が、設定情報に従って上記閾値を取得し、且つ上記閾値をＮＡＳメッセージ又はショートメッセージで搬送してＵＥに送信し、そして、ＵＥがそれを保存する。
【００３９】
Ｂ３）  ＵＥが、応答データ又は応答メッセージを生成し、この応答データ又はメッセージの応答回数を取得し、そして、応答データ又はメッセージの応答回数に従って、ダウンリンクデータ又はメッセージに応答するモードとしてシグナリングモード又はデータモードを選択する。
【００４０】
例えば、この手法は具体的には以下のようにし得る：上記応答データ又はメッセージの応答回数（すなわち、送信回数）が１である場合、ＵＥはシグナリングモードを用いてダウンリンクデータ又はメッセージに応答することを選択し、上記応答データ又はメッセージの応答回数（すなわち、送信回数）が１より大きい場合、ＵＥはデータモードを用いてダウンリンクデータ又はメッセージに応答することを選択する。
【００４１】
そして、選択されたモードを用いてダウンリンクデータ又はメッセージに応答することは、具体的に以下である：選択されたモードがシグナリングモードである場合、ステップ１０５ａを参照することができ；選択されたモードがデータモードであり且つＵＥがＰＤＰコンテキスト又はＰＤＮ接続を有しない（あるいは、応答データ送信要件を満足することができるＰＤＰコンテキスト又はＰＤＮ接続が存在しない）場合、ステップ１０５ｂ、１０５ｃ、１０６ｃ、１０７ｃ、１０８ｃ及び１０９ｃを参照することができ；選択されたモードがデータモードであり且つＵＥがＰＤＰコンテキスト又はＰＤＮ接続を有する場合、ステップ１０５ｃ、１０６ｃ、１０７ｃ、１０８ｃ及び１０９ｃを参照することができる。ＵＥがＰＤＰコンテキスト又はＰＤＮ接続を有するケース（場合）には、応答データ送信要件を満足可能なＰＤＰコンテキスト又はＰＤＮ接続をＵＥが有するケースが含まれる。
【００４２】
ステップ１０５ａ：ＵＥが、生成した応答データ又はメッセージをアップリンクＮＡＳメッセージ又はショートメッセージに付加して、アップリンクＮＡＳメッセージ又はショートメッセージをネットワークノード装置に送信し、ネットワークノード装置が、ＵＥによってシグナリングモードで送信された応答データ又はメッセージを受信する。
【００４３】
ステップ１０５ｂ：ＵＥがＰＤＰコンテキスト又はＰＤＮ接続を有しない、あるいは応答データ送信要件を満足可能なＰＤＰコンテキスト又はＰＤＮ接続が存在しないとき、ＵＥは、ＰＤＰコンテキストアクティブ化手順又はＰＤＮ接続確立手順を開始する。具体的には、ＵＥは、ＰＤＰコンテキストアクティブ化要求（Activate  PDP  context  request）メッセージをＳＧＳＮに送信し、あるいは、ＰＤＮ接続要求（PDN  connection  request）メッセージをＭＭＥに送信する。ＰＤＰコンテキストがアクティブ化された後、あるいはＰＤＮ接続が確立された後、ＵＥはＰＤＰコンテキスト又はＰＤＮ接続を有している。
【００４４】
ステップ１０５ｃ：ＵＥがＰＤＰコンテキスト又はＰＤＮ接続を有するとき、ＵＥは、ネットワークノード装置に対して、ベアラを回復させるためのサービス要求手順を開始する。具体的には、ＵＥは第１のサービス要求メッセージをネットワークノード装置に送信し、ここで、第１のサービス要求メッセージは、ＵＥに関する無線アクセスコンテキスト及び／又はセキュリティコンテキストを作成するために使用され、例えば、第１のサービス要求メッセージ内のサービスタイプ（Service  Type）がデータ（Data）に送られる。
【００４５】
無線アクセスコンテキストは具体的には、ＲＡＢ（無線アクセスベアラ）コンテキスト若しくはＥＲＡＢ（Ｅ−ＵＴＲＡＮ無線アクセスベアラ）コンテキストである。
【００４６】
ステップ１０６ｃ：第１のサービス要求メッセージを受信した後、ネットワークノード装置は、サービス要求手順においてＵＥに関する無線アクセスコンテキスト及び／又はセキュリティコンテキストを作成することを決定する。このステップでは、ＵＥが既に接続状態にある場合であっても、ネットワークノード装置は、第１のサービス要求メッセージを受信した後、通常のサービス要求手順に従って進む（すなわち、ＵＥに関する無線アクセスコンテキスト及び／又はセキュリティコンテキストを作成する）。
【００４７】
ステップ１０７ｃ−１０８ｃ：ネットワークノード装置が無線アクセス割当（確立）手順を開始する。このステップにより、ＳＧＳＮ又はＭＭＥは、ＵＥに関する無線アクセスコンテキスト及び／又はセキュリティコンテキストを作成する。この場合、ＵＥのために無線アクセスが確立される。
【００４８】
ステップ１０９ｃ：ＵＥのための無線アクセスが確立された後、ＵＥは、ＰＤＰ又はＰＤＮ接続上でネットワークノード装置に、応答データ又はメッセージをデータモードで送信することができ、ネットワークノード装置は、ＵＥによってデータモードで送信された応答データ又はメッセージを受信する。
【００４９】
本発明にて提供されるこのサービス応答方法によれば、接続状態にあるＵＥに対して、ネットワークノード装置は、該ＵＥにダウンリンクデータ又はダウンリンクメッセージを送信し、そして、該ＵＥが、ダウンリンクデータ又はメッセージを受信した後に、ダウンリンクデータ又はメッセージに応答するモードを選択し、選択されたモードを用いてダウンリンクデータ又はメッセージに応答する。従来技術と比較して、本発明ではサービス応答手順中に、ダウンリンクデータ又はメッセージに応答するモードを選択することができ、それにより、スモールパケットデータの最適化された伝送の実現が支援され、ネットワークシグナリング資源の浪費が抑制される。
【００５０】
本発明の一実施形態は、ＵＥがアイドル状態にあるときのサービス応答方法を提供する。図２に示すように、この方法は以下のステップ群を含む。
【００５１】
ステップ２０１：ネットワークノード装置が、ネットワーク側によって送達されるダウンリンクデータ又はダウンリンクメッセージを受信する。このダウンリンクデータ又はメッセージはスモールパケットデータである。
【００５２】
詳細については、上述の実施形態のステップ１０１を参照し得る。
【００５３】
ステップ２０２：ネットワークノード装置がＵＥの状態をクエリする。
【００５４】
ＵＥがアイドル状態にあるとき、ＵＥは、ネットワークノード装置によって送信されるページングメッセージを受信し、当該ＵＥに関するＮＡＳ接続を確立して当該ＵＥがアイドル状態から接続状態へと変化するために、第２のサービス要求メッセージをネットワークノード装置に送信する。ＵＥのためのＮＡＳ接続を確立する手順の間、ネットワークノード装置は、そのＵＥに関する無線アクセスコンテキスト及び／又はセキュリティコンテキストを作成しないことを決定する。具体的には、ステップ２０３１−２０３２、２０４１、２０４２及び２０５が含まれる。
【００５５】
ステップ２０３１−２０３２：ＵＥがアイドル状態にあるとき、ネットワークノード装置はＵＥを呼び出す（ページングする）。すなわち、ネットワークノード装置はページングメッセージを発する。
【００５６】
必要に応じて、Ｃ１）ネットワークノード装置は、ダウンリンクデータ又はメッセージがスモールパケットデータであることを指し示すインジケーション要素をページングメッセージに付加して、ページングメッセージをＵＥに送信する。例えば、このインジケーション要素は、スモールデータフラグビットであり、該スモールデータフラグビットが、ネットワークノード装置によって、ＵＥに搬送されるページングメッセージに付加される。
【００５７】
スモールデータフラグビットの設定は、インジケーション要素を設定する方法を記述する一例である。この方法は：Ｃ１１）アタッチ若しくはルーティングエリア／トレーシングエリア更新手順にて、ネットワークノード装置が、加入データからスモールパケットデータであるＵＥのサービス特性を取得し、このサービス特性に従ってスモールデータフラグビットを設定し、そして、このフラグビットをページングメッセージに付加する。他の一手法は以下とし得る：Ｃ１２）ダウンリンクデータ又はメッセージの送信元がスモールデータフラグビットを生成して該スモールデータフラグビットをネットワークノード装置に送信し、ネットワークノード装置が該スモールデータフラグビットをページングメッセージに付加する。
【００５８】
場合により、Ｃ２）ネットワークノード装置は、インジケーション要素を担持しないページングメッセージをＵＥに送信する。
【００５９】
その後、ＵＥが、ネットワークノード装置からのページングメッセージに応答して、第２のサービス要求メッセージをネットワークノード装置に送信する。具体的にはステップ２０４１及び２０４２が含まれる。
【００６０】
ステップ２０４１：ＵＥが、第２のサービス要求メッセージを含んだＲＲＣ接続要求メッセージをＲＡＮ側装置に送信する。
【００６１】
このステップは以下の２つのケースを含む。
【００６２】
ケース１：ステップ２０３１−２０３２にてＵＥによって受信されたページングメッセージがスモールデータフラグビットを担持している場合、ＵＥはコーズバリュー（cause  value）を設定し、例えば、ＲＲＣコーズ（ＲＲＣコーズバリュー）をＭＯシグナリング又は別のコーズバリューに設定して、ダウンリンクスモールパケットデータのページングに応答してＲＲＣ接続確立手順（サービス要求手順を含む）を開始するようＲＲＣコーズを用いてＵＥに命令し、ＵＥは、スモールデータフラグビットを担持するＲＲＣ接続要求メッセージをＲＡＮ側装置に送信する。
【００６３】
ケース２：ステップ２０３１−２０３２にてＵＥによって受信されたページングメッセージがスモールデータフラグビットを担持していない場合、ＵＥは、ページングメッセージに応答して通常のサービス要求手順を開始し、コーズバリューを担持しない通常のＲＲＣ接続要求メッセージをＲＡＮ側装置に送信する。
【００６４】
ステップ２０４２：ＵＥからのＲＲＣ接続要求メッセージを受信した後、ＲＡＮ（無線アクセスネットワーク）側装置はイニシャルＵＥメッセージをネットワークノード装置に送信する。
【００６５】
このステップも以下の２つのケースを含み得る。
【００６６】
ケース１：ＵＥによってＲＡＮ側装置に送られたＲＲＣ接続要求メッセージが、例えばスモールデータフラグビットであるコーズバリューを担持している場合、ＲＡＮ側装置は、スモールデータフラグビットをイニシャルＵＥメッセージに運び入れ、それをネットワークノード装置に送信する。すなわち、イニシャルＵＥメッセージはスモールデータフラグビットと第２のサービス要求メッセージとを搬送する。このケースでは、ＵＥはまた、ダウンリンクスモールパケットデータのページングに応答してサービス要求手順を開始するようにＵＥに命令するため、ＭＯシグナリング又は別のコーズバリューを第２のサービス要求内に担持し得る。
【００６７】
ケース２：ＵＥによってＲＡＮ側装置に送られたＲＲＣ接続要求メッセージがコーズバリューを担持していない場合、ＵＥは通常のサービス要求手順に従ってページングメッセージに応答する。すなわち、第２のサービス要求メッセージを搬送するイニシャルＵＥメッセージがネットワークノード装置に送られる。
【００６８】
ネットワークノード装置が、ＲＡＮ側装置によって送信されたイニシャルＵＥメッセージを受信する。これは、イニシャルＵＥメッセージに含まれる第２のサービス要求メッセージをネットワークノード装置が受信できることを意味する。
【００６９】
ステップ２０５：ネットワークノード装置が、ＵＥのためのＮＡＳ接続を確立するとともに、ＵＥのＮＡＳ接続を確立する手順中は該ＵＥに関する無線アクセスコンテキスト及び／又はセキュリティコンテキストを作成しないことを決定する。
【００７０】
ＵＥに関する無線アクセスコンテキスト及び／又はセキュリティコンテキストを作成しないことをネットワークノード装置がどのように決定するかということも、以下の２つのケースを含み得る。
【００７１】
ケース１：ネットワークノード装置によって受信されたイニシャルＵＥメッセージがコーズバリューを担持している場合、ネットワークノード装置は、コーズバリューに従って、ＵＥに関する無線アクセスコンテキスト及び／又はセキュリティコンテキストを作成しないことを決定する。
【００７２】
ケース２：ネットワークノード装置によって受信されたイニシャルＵＥメッセージがコーズバリューを担持していない場合、ネットワークノード装置が、サービスタイプインジケーションを担持する通常の第２のサービス要求メッセージを受信した後、該サービスタイプインジケーションを用いて、第２のサービス要求メッセージがページング応答であることが指し示される。ネットワークノード装置は、ページング応答であるサービスタイプインジケーションに従って、第２のサービス要求メッセージがダウンリンクスモールパケットデータのページングに応答してのメッセージであることを学ぶことができ、ネットワークノード装置は、ＵＥに関する無線アクセスコンテキスト及び／又はセキュリティコンテキストを作成しないことを決定する。
【００７３】
ＵＥとネットワークノード装置との間にＮＡＳ（Ｉｕ／Ｓ１）接続が確立された後、すなわち、ＵＥがアイドル状態から接続状態に変化した後、アイドル状態にあるＵＥのサービス応答が、上述の実施形態におけるステップ１０３−１０９ｃを参照することによって、最終的に完了される。
【００７４】
本発明にて提供されるこのサービス応答方法は、アイドル状態にあるＵＥに特有であり、具体的には、ＵＥがアイドル状態から接続状態に変化するソリューションを提供し、最終的には、アイドル状態のＵＥのサービス応答を完了させる。従来技術と比較して、本発明ではサービス応答手順中に、ダウンリンクデータ又はメッセージに応答するモードを選択することができ、それにより、スモールパケットデータの最適化された伝送の実現が支援され、ネットワークシグナリング資源の浪費が抑制される。
【００７５】
図３に示すように、本発明の一実施形態はユーザ装置ＵＥを提供し、当該ＵＥは：
スモールパケットデータであるダウンリンクデータ又はダウンリンクメッセージを受信するように構成された受信ユニット３１と、
ダウンリンクデータ又はメッセージに応答するモードとしてシグナリングモード又はデータモードを選択するように構成された選択ユニット３２と、
選択されたモードを用いてダウンリンクデータ又はメッセージに応答するように構成された応答ユニット３３と、を含む。
【００７６】
好ましくは、選択ユニット３２は特に：
ダウンリンクデータ又はメッセージを含んだＮＡＳシグナリング又はショートメッセージにて搬送される応答モードインジケーション要素に従って、ダウンリンクデータ又はメッセージに応答するモードとしてシグナリングモード又はデータモードを選択するように構成され、ここで、応答モードインジケーション要素は、シグナリングモード又はデータモードを用いてダウンリンクデータ又はメッセージに応答するようにＵＥに命令するために使用され；あるいは
ＵＥによって生成される応答データ又はメッセージのデータ量に従って、ダウンリンクデータ又はメッセージに応答するモードとしてシグナリングモード又はデータモードを選択するように構成され；あるいは
ＵＥによって生成される応答データ又はメッセージの応答回数に従って、ダウンリンクデータ又はメッセージに応答するモードとしてシグナリングモード又はデータモードを選択するように構成される。
【００７７】
オプションとして、選択ユニット３２によって選択されたモードがシグナリングモードである場合、応答ユニット３３は特に、生成された応答データ又はメッセージをアップリンクＮＡＳメッセージ又はショートメッセージに付加し、該ＮＡＳメッセージ又はショートメッセージをネットワークノード装置に送信するように構成される。
【００７８】
オプションとして、選択ユニット３２によって選択されたモードがデータモードである場合、応答ユニット３３は特に、ＵＥがパケットデータプロトコル（ＰＤＰ）コンテキスト又は公衆データネットワーク（ＰＤＮ）接続を有しないとき、ＰＤＰコンテキストアクティブ化手順又はＰＤＮ接続確立手順を開始するように構成される。
【００７９】
オプションとして、選択ユニット３２によって選択されたモードがデータモードである場合、応答ユニット３３は特に、応答データ送信要件を満足することが可能なＰＤＰコンテキスト又は接続をＵＥが有しないとき、ＰＤＰコンテキストアクティブ化手順又はＰＤＮ接続確立手順を開始するように構成される。
【００８０】
オプションとして、選択ユニット３２によって選択されたモードがデータモードである場合、応答ユニット３３は特に、ＵＥがＰＤＰコンテキスト又はＰＤＮ接続を有するとき、ネットワークノード装置に対するサービス要求手順を開始し、ネットワークノード装置が該サービス要求手順においてＵＥに関する無線アクセスコンテキスト及び／又はセキュリティコンテキストを作成した後に、ＰＤＰ接続又はＰＤＮ接続上でネットワークノード装置に応答データ又はメッセージを送信するように構成される。
【００８１】
また、図４に示すように、ＵＥは更に、第１の接続ユニット３４を含み、該第１の接続ユニット３４は、当該ＵＥがアイドル状態にあるときに、ネットワークノード装置によって送信されたページングメッセージを受信し、当該ＵＥのためのＮＡＳ接続を構築するために第２のサービス要求メッセージをネットワークノード装置に送信するように構成される。
【００８２】
具体的には、第１の接続ユニット３４は：
ＵＥがアイドル状態にあるときに、ネットワークノード装置によって送信されたページングメッセージを受信するように構成された第１の受信モジュール３４１１であり、ページングメッセージは、ダウンリンクデータ又はメッセージがスモールパケットデータであることを指し示すインジケーション要素を担持する、第１の受信モジュール３４１１と、
インジケーション要素を担持するページングメッセージに従ってコーズバリューを設定するように構成された第１の設定モジュール３４１２であり、該コーズバリューは、スモールパケットデータのページングに応答するためのＲＲＣ接続構築手順を開始するようにＵＥに命令するために使用される、第１の設定モジュール３４１２と、
ＵＥのためのＮＡＳ接続を構築するためにＲＲＣ接続確立手順において、ＲＡＮ側装置を介してネットワークノード装置に、コーズバリュー及び第２のサービス要求メッセージを送信するように構成された第１の送信モジュール３４１３と、を含む。
【００８３】
あるいは、オプションとして、第１の接続ユニット３４は：
ＵＥがアイドル状態にあるときに、ネットワークノード装置によって送信された、インジケーション要素を担持していないページングメッセージを受信するように構成された第２の受信モジュール３４２１と、
ＵＥのためのＮＡＳ接続を構築するためにネットワークノード装置に第２のサービス要求メッセージを送信するように構成された第２の送信モジュール３４２２であり、第２のサービス要求メッセージは、当該第２のサービス要求メッセージがページング応答であることを指し示すために使用されるサービスタイプインジケーションを担持する、第２の送信モジュール３４２２と、を含む。
【００８４】
図５の本発明の一実施形態により、ＳＧＳＮ又はＭＭＥとし得るネットワークノード装置が更に提供される。具体的には、ネットワークノード装置は：
スモールパケットデータであるダウンリンクデータ又はダウンリンクメッセージを送信するように構成された送信ユニット５１と、
ＵＥがアイドル状態にあるときにＵＥを呼び出し、ＵＥによって送信された第２のサービス要求メッセージを受信し、且つＵＥのためのＮＡＳ接続を確立するように構成された第２の接続ユニット５４であり、当該ネットワークノード装置がＵＥのためのＮＡＳ接続を構築する手順中にＵＥに関する無線アクセスコンテキスト及び／又はセキュリティコンテキストを作成しないことを決定する、第２の接続ユニット５４と、
ＵＥによってシグナリングモード又はデータモードで送信された応答データ又は応答メッセージを受信するように構成された応答受信ユニット５２と、を含む。
【００８５】
好ましくは、送信ユニット５１は特に：
ダウンリンクデータ又はメッセージを含んだＮＡＳメッセージ又はショートメッセージを送信するように構成され、ＮＡＳメッセージ又はショートメッセージは更に、シグナリングモード又はデータモードを用いてダウンリンクデータ又はメッセージに応答するようにＵＥに命令するために使用され応答モードインジケーション要素を担持する。
【００８６】
オプションとして、ダウンリンクデータ又はメッセージが、当該ダウンリンクデータ又はメッセージの送信元によって付加された応答モードインジケーション要素を担持する。
【００８７】
あるいは、オプションとして、ネットワークノード装置が更に付加ユニット５３を含み、付加ユニット５３は、ＵＥの加入データからスモールパケットデータであるＵＥのサービス特性を取得し、該サービス特性に従って応答モードインジケーション要素を設定し、且つ該インジケーション要素をＮＡＳメッセージ又はショートメッセージに付加するように構成される。
【００８８】
また、図６に示すように、ＵＥがアイドル状態にあるとき、ネットワークノード装置は、第２の接続ユニット５２により、ＵＥをアイドル状態から接続状態へと変化させる。
【００８９】
オプションとして、第２の接続ユニット５４は：
ダウンリンクデータ又はメッセージがスモールパケットデータであることを指し示すために使用されるインジケーション要素をページングメッセージに付加するように構成された第３の付加モジュール５４１１と、
ＵＥがコーズバリューを設定するよう、上記ページングメッセージをＵＥに送信するように構成された第３の送信モジュール５４１２であり、該コーズバリューは、スモールパケットデータのページングに応答するためのＲＲＣ接続確立手順を開始するようにＵＥに命令するために使用される、第３の送信モジュール５４１２と、
ＲＡＮ側装置によって転送された第２のサービス要求メッセージ及びコーズバリューを受信するように構成された第３の受信モジュール５４１３と、
ＵＥのためのＮＡＳ接続を構築するとともに、第３の受信モジュールでのコーズバリューに従って、ＵＥに関する無線アクセスコンテキスト及び／又はセキュリティコンテキストを作成しないことを決定するように構成された第３の接続確立モジュール５４１４と、を含む。
【００９０】
第３の付加モジュール５４１１は特に：ＵＥの加入データからスモールパケットデータであるＵＥのサービス特性を取得し、該サービス特性に従ってインジケーション要素を設定し、且つ該インジケーション要素をページングメッセージに付加するように構成され；あるいは、ダウンリンクデータ又はメッセージの送信元によって生成されたインジケーション要素を受信して、該インジケーション要素をページングメッセージに付加するように構成される。
【００９１】
あるいは、第２の接続ユニット５４は：
インジケーション要素を担持していないページングメッセージをＵＥに送信するように構成された第４の送信モジュール５４２１と、
ＵＥによって送信された、サービスタイプインジケーションを担持する第２のサービス要求メッセージを受信するように構成された第４の受信モジュール５４２２と、
ＵＥのためのＮＡＳ接続を構築するとともに、第４の受信モジュールでの第２のサービス要求メッセージ内のサービスタイプインジケーションが、第２のサービス要求メッセージがページング応答であることを指し示すために使用されているときに、ＵＥに関する無線アクセスコンテキスト及び／又はセキュリティコンテキストを作成しないことを決定するように構成された第４の接続確立モジュール５４２３と、を含む。
【００９２】
上述のユーザ装置ＵＥの機能ユニット及びモジュール、並びにネットワークノード装置の機能ユニット及びモジュールは、上述のサービス応答方法における対応するステップを実行するエンティティとして機能し得る。
【００９３】
本発明の一実施形態は、ユーザ装置ＵＥとネットワークノード装置とを含むサービス応答システムを提供する。
【００９４】
ネットワークノード装置は、スモールパケットデータであるダウンリンクデータ又はダウンリンクメッセージをＵＥに送信するように構成される。
【００９５】
ユーザ装置は、ネットワークノード装置によって送信されたダウンリンクデータ又はメッセージを受信し、ダウンリンクデータ又はメッセージに応答するモードとしてシグナリングモード又はデータモードを選択し、そして、選択されたモードを用いてダウンリンクデータ又はメッセージに応答するように構成される。
【００９６】
ネットワークノード装置は更に、選択されたモードを用いてＵＥによって送信された応答データ又は応答メッセージを受信するように構成される。
【００９７】
また、ネットワークノード装置は更に、ＵＥがアイドル状態にあるときにＵＥを呼び出し、ＵＥによって送信された第２のサービス要求メッセージを受信し、そして、ＵＥのためのＮＡＳ接続を構築するように構成され、ＵＥのためのＮＡＳ接続を構築する手順中、ネットワークノード装置は、ＵＥに関する無線アクセスコンテキスト及び／又はセキュリティコンテキストを作成しないことを決定する。
【００９８】
本発明にて提供されるサービス応答ＵＥ、ネットワークノード装置、及びシステムによれば、ＵＥが接続状態にあるとき、ネットワークノード装置が、自身の送信ユニットを用いてダウンリンクデータ又はダウンリンクメッセージをＵＥに送信し、ＵＥが、自身の受信ユニットを用いてダウンリンクデータ又はメッセージを受信し、ダウンリンクデータ又はメッセージに応答するモードを自身の選択ユニットを用いて選択し、自身の応答ユニットにより、選択されたモードでダウンリンクデータ又はメッセージに応答する。従来技術と比較して、本発明ではサービス応答手順中に、ダウンリンクデータ又はメッセージに応答するモードを選択することができ、それにより、スモールパケットデータの最適化された伝送の実現が支援され、ネットワークシグナリング資源の浪費が抑制される。また、本発明にて提供されるソリューションは更に、ＵＥの第１の接続ユニットとネットワークノード装置の第２の接続ユニットとを用いることにより、ＵＥがアイドル状態から接続状態に変化することを可能にする。
【００９９】
当業者が理解し得るように、実施形態に係る方法のステップ群の全て又は一部は、関連ハードウェアに命令するプログラムによって実装され得る。プログラムは、コンピュータ読み取り可能記憶媒体に保存され得る。プログラムが実行されるとき、実施形態に係る方法のステップ群が実行される。記憶媒体は、例えば、ＲＯＭ、ＲＡＭ、磁気ディスク又は光ディスクなど、プログラムコードを保存することが可能な如何なる媒体であってもよい。
【０１００】
以上の説明は、単に、本発明の例示的な実施形態についてのものであり、本発明の保護範囲を限定することを意図したものではない。本発明にて開示された技術範囲内で当業者によって為される如何なる変形又は置換も、本発明の保護範囲の範囲内である。故に、本発明の保護範囲は請求項の範囲のみによって決定されるものである。
【図１】
0005744325.tif 000002
【図２】
0005744325.tif 000003
【図３】
0005744325.tif 000004
【図４】
0005744325.tif 000005
【図５】
0005744325.tif 000006
【図６】
0005744325.tif 000007